(57)【要約】【課題】解錠キーの複製が困難なシリンダ錠装置の提供を目的とする。【解決手段】プラグ１内にタンブラピン２を移動自在に収容してなり、タンブラピン２の移動方向中心線周りの回転姿勢により施解錠状態が決定されるシリンダ錠１０と、  プラグ１内に挿入され、コード判定位置においてタンブラピン２の回転姿勢を決定する解錠コード形成凹部３を備えた解錠キー４とを有し、  前記タンブラピン２の先端部には、先端に行くに従って漸次縮経し、回転中心が移動方向中心線から偏心した回転体の母線に一致する傾斜辺を有するドライブ部５が形成され、  コード判定位置において、傾斜辺を解錠コード形成凹部３の側壁面に形成され、ドライブ部５の傾斜辺と母線がほぼ一致する回転体曲率面に圧接させてタンブラピン２の回転姿勢を決定する。【選択図】  図８
2006070552.tif 000002
【特許請求の範囲】
【請求項１】
プラグ内にタンブラピンを移動自在に収容してなり、タンブラピンの移動方向中心線周りの回転姿勢により施解錠状態が決定されるシリンダ錠と、
プラグ内に挿入され、コード判定位置においてタンブラピンの回転姿勢を決定する解錠コード形成凹部を備えた解錠キーとを有し、
前記タンブラピンの先端部には、先端に行くに従って漸次縮経し、回転中心が移動方向中心線から偏心した回転体の母線に一致する傾斜辺を有するドライブ部が形成され、
コード判定位置において、傾斜辺を解錠コード形成凹部の側壁面に形成され、ドライブ部の傾斜辺と母線がほぼ一致する回転体曲率面に圧接させてタンブラピンの回転姿勢を決定するシリンダ錠装置。
【請求項２】
前記ドライブ部は、傾斜辺を母線とする回転体曲率面により形成される請求項１記載のシリンダ錠装置。
【請求項３】
中央部にキー挿入部を長手通しに備え、タンブラピンをキー挿入部への進退方向に移動自在、かつ、移動方向中心周りに回転自在に収容したプラグと、
プラグが回転自在に挿入され、プラグの初期回転位置において前記タンブラピンにキー挿入部突出側への付勢力を付与するドライブピンを備えたシリンダケースと、
タンブラピンの回転位置によりプラグとシリンダケースとの回転境界面を開閉する施錠部とを有し、
前記タンブラピンのキー挿入部側端部には、先端に行くに従って漸次縮経し、回転中心が移動方向中心線から偏心した回転体曲率面を周壁とし、ほぼ同一の母線を有する回転体曲率面に圧接された際にタンブラピンを回転させるドライブ部が形成されるシリンダ錠。
【請求項４】
前記施錠部が、
タンブラピンとドライブピンの双方の接触端面がプラグとシリンダケースとの円筒状回転境界面に一致する曲率面からなる双方の接触側端部である請求項３記載のシリンダ錠。
【請求項５】
請求項１から４のいずれかに記載のプラグに挿入され、タンブラピンの回転姿勢を解錠コード形成凹部の周壁により制御する解錠キーであって、
プラグ内に一直線状に配置されたタンブラピンの複数からなる一のタンブラ列内の各タンブラピンに対する解錠コード形成凹部のドライブ部への対応周壁が、プラグへの挿入方向に沿って平行な複数列のいずれかに回転中心を有する回転体曲率面により形成される解錠キー。
【請求項６】
前記回転体曲率面の回転中心は、中央部がタンブラ列の移動方向中心線方向の投射線に一致する３列から所定順序で選択された一上に配置される請求項５記載の解錠キー。
【発明の詳細な説明】
【技術分野】
【０００１】
本発明は、シリンダ錠装置に関するものである。
【背景技術】
【０００２】
プラグ内のタンブラピンを解錠キーにより所定角度移動中心線周りに回転させ、回転姿勢により施解錠状態を決定するシリンダ錠としては、特許文献１に記載されたものが知られている。この従来例において、タンブラピンの先端はＶ字状に切り落とされて長手方向中心線周りに回転自在に保持され、解錠キーには、タンブラピンの先端が嵌合可能なスリットが長手方向軸線に対する交差角を変化させて配列される。
【０００３】
解錠キーをプラグ内に挿入すると、タンブラピンの先端は解錠キーのスリットに嵌合するようにして所定角まで水平回転し、この状態が設定角度に一致する場合には、シリンダケースとの回転境界を閉塞しているサイド棒（サイドバー）がプラグ内に退避可能になり、プラグへの回転操作が可能になる。
【特許文献１】特公平７-３０６４１号公報
【発明の開示】
【発明が解決しようとする課題】
【０００４】
しかし、上述した従来例において、オリジナルキーの切り込み角をトレースするだけで解錠キーの複製が可能になるとういう欠点がある。
本発明は、以上の欠点を解消すべくなされたものであって、解錠キーの複製が困難なシリンダ錠装置の提供を目的とする。
【課題を解決するための手段】
【０００５】
本発明によれば上記目的は、
プラグ１内にタンブラピン２を移動自在に収容してなり、タンブラピン２の移動方向中心線周りの回転姿勢により施解錠状態が決定されるシリンダ錠１０と、
プラグ１内に挿入され、コード判定位置においてタンブラピン２の回転姿勢を決定する解錠コード形成凹部３を備えた解錠キー４とを有し、
前記タンブラピン２の先端部には、先端に行くに従って漸次縮径し、回転中心が移動方向中心線から偏心した回転体の母線に一致する傾斜辺を有するドライブ部５が形成され、
コード判定位置において、傾斜辺を解錠コード形成凹部３の側壁面に形成され、ドライブ部５の傾斜辺と母線がほぼ一致する回転体曲率面に圧接させてタンブラピン２の回転姿勢を決定するシリンダ錠装置を提供することにより達成される。
【０００６】
シリンダ錠１０は、タンブラピン２が長手方向に移動自在、かつ、移動方向中心線１１周りに回転自在に収容されるプラグ１をシリンダケース８内に挿入して形成され、タンブラピン２の移動方向中心線１１周りの回転姿勢により、プラグ１がシリンダケース８内で回転可能な解錠状態と、回転不能な施錠状態が決定される。
【０００７】
なお、本発明は、タンブラピン２の移動方向中心線１１に沿う移動量による施解錠状態の決定を排斥するものではなく、タンブラピン２の回転姿勢によってのみキー違いを達成する以外に、タンブラピン２の回転姿勢とタンブラピン２の移動量の双方をキー違いの発生要素とする場合も含まれる。
【０００８】
タンブラピン２の回転姿勢による施解錠状態の決定方法としては、種々の周知の構造が採用可能であり、例えば、上述した特許文献１、あるいは図１１に示すように、プラグ１とシリンダケース８との回転境界を閉塞しているサイドバー１２の退出経路をタンブラピン２の回転により提供することによって達成可能である。さらに、施解錠状態の決定は、図４に示すように、タンブラピン２が所定の回転姿勢の時にのみプラグ１の回転境界が開放されるように構成することよっても実現可能である。
【０００９】
図８に示すように、解錠キー４がプラグ１内の所定位置まで挿入されて解錠コード形成凹部３がコード判定位置に達すると、プラグ１内のタンブラピン２のドライブ部５が解錠コード形成凹部３の周壁に当接する。ドライブ部５は、先端に行くに従って漸次縮径し、回転中心（Ｃｔ）が移動方向中心線１１から偏心した回転体の母線に一致する傾斜辺を有するとともに、解錠コード形成凹部３の周壁は母線がほぼ一致する回転体曲率面により形成され、さらに、タンブラピン２の移動方向中心線１１、すなわち水平回転中心と回転体の回転中心とは一致しないために、傾斜辺が圧接されると、タンブラピン２に水平回転トルク（Ｔ）が発生し、所定位置まで水平回転する。
【００１０】
タンブラピン２が所定の回転角度まで変化する際に、傾斜辺は、接触開始点から順次接触位置を変更しながら解錠コード形成凹部３の周壁を移動して最終接触位置に達する。この結果、解錠コード形成凹部３を複製する場合には、接触開始点はタンブラピン２の初期回転位置により決定されるために不定で、最終接触点は設定コードにより決定されるために未知であるために、周壁の全てを複製することが必要となり、複製作業が困難になる。
【００１１】
以上のように、本発明は、回転体の母線に発生する回転方向の分力をタンブラピン２の回転に利用するもので、解錠コード形成凹部３の曲率面に圧接する接触線分（傾斜辺）が設定されれば足りる。この結果、傾斜辺は、例えば多面体の稜線であってもよいが、回転体の錐面として構成した場合には、解錠コード形成凹部３の周壁に面当たりするために、動作が円滑になる。また、傾斜辺は、円弧等の曲線であってもよい。
【００１２】
以上のように構成されるシリンダ錠装置には、
中央部にキー挿入部６を長手通しに備え、タンブラピン２をキー挿入部６への進退方向に移動自在、かつ、移動方向中心周りに回転自在に収容したプラグ１と、
プラグ１が回転自在に挿入され、プラグ１の初期回転位置において前記タンブラピン２にキー挿入部６突出側への付勢力を付与するドライブピン７を備えたシリンダケース８と、
タンブラピン２の回転位置によりプラグ１とシリンダケース８との回転境界面を開閉する施錠部９とを有し、
前記タンブラピン２のキー挿入部６側端部には、先端に行くに従って漸次縮経し、回転中心（Ｃｔ）が移動方向中心線１１から偏心した回転体曲率面を周壁とし、ほぼ同一の母線を有する回転体曲率面に圧接された際にタンブラピン２を回転させるドライブ部５が形成されるシリンダ錠１０が使用できる。
【００１３】
上述したように、施錠部９はサイドバー１２を利用する等、種々の変形が可能であるが、
タンブラピン２とドライブピン７の双方の接触端面がプラグ１とシリンダケース８との円筒状回転境界面に一致する曲率面からなる双方の接触側端部を施錠部９とした場合には、サイドバー１２等が不要となり、構造が簡単になる。
【００１４】
また、上記シリンダ錠装置には、
プラグ１内に一直線状に配置されたタンブラピン２の複数からなる一のタンブラ列内の各タンブラピン２に対する解錠コード形成凹部３のドライブ部５への対応周壁が、プラグ１への挿入方向に沿って平行な複数列のいずれかに回転中心を有する回転体曲率面により形成される解錠キー４が使用できる。
【００１５】
この場合、回転体曲率面の回転中心は、中央部がタンブラ列の移動方向中心線１１方向の投射線に一致する３列から所定順序で選択された一上に配置されるように構成すると、コード管理、および解錠キー４の製造管理が容易になる。
【発明の効果】
【００１６】
本発明によれば、解錠キーの複製を困難にすることができる。
【発明を実施するための最良の形態】
【００１７】
図１、２に、扉体（Ｄ）に固定されて扉体（Ｄ）内の錠本体を操作するために使用されるシリンダ錠１０を示す。シリンダ錠１０は、シリンダケース８内にプラグ１を回転自在に挿入して形成され、シリンダケース８の前端部には、筒状カバー１３が装着される。筒状カバー１３は、回転操作により扉体（Ｄ）表面側に移動させることが可能であり、図２に示す状態でシリンダ錠１０を扉体（Ｄ）に固定した後、筒状カバーを締め付けて、図１に示すように、扉体（Ｄ）に開設された取付孔１４を覆い隠すことができる。また、プラグ１の前端には、キャップ部材１ａが装着される。
【００１８】
図２、４に示すように、プラグ１の中心部には、プラグ１の長手通しにキー挿入部６が開設され、キー挿入部６内に一端が開口し、他端がプラグ１外周に開口するタンブラ挿入孔１５の複数が形成される。タンブラ挿入孔１５は、断面円形の孔として形成され、キー挿入部６近傍で、タンブラ挿入孔１５の中心軸線（後述するように、この中心軸線はタンブラピン２の移動方向中心線に合致するために、以後、移動方向中心線１１として説明する。）に対して対称位置に２個のタンブラ回転規制用の突起１５ａが突設される。
【００１９】
図４示すように、上記各タンブラ挿入孔１５の移動方向中心線１１は、キー挿入部６の幅中心面に直交して配置され、プラグ１の回転中心に平行な複数の面（タンブラ列面）のいずれかに属するように配列される。同一タンブラ列面（Ｓｔ）内のキー挿入部６間には均等な間隔（Ｐｔ）が設定される。
【００２０】
この実施の形態において、プラグ１にはキー挿入部６の幅中心面に対して一側に２面、他側に１面の計３面のタンブラ列面（Ｓｔ１〜３）が設定される。３面のうち、他側の１面（Ｓｔ１）はプラグ１の回転中心（Ｃｐ）を含み、一側の２面（Ｓｔ２、Ｓｔ３）は上記他側のタンブラ列面（Ｓｔ１）に対して対称位置に配置される。この結果、一側の２面（Ｓｔ２、Ｓｔ３）は、プラグ１の回転中心（Ｃｐ）からオフセット量（Δ）だけずれる。
【００２１】
上記他側の１面（Ｓｔ１）はマスターキーシステム構成用に使用され、当該タンブラ列面（Ｓｔ１）には、後述する補助ドライブピン７’との間で補助施錠部９’を構成する両端がほぼ截頭円錐形状の周知のタンブラピン（以下、「補助タンブラピン２’」）が使用される。この補助タンブラピン２’は、後述する解錠キー４の解錠コード形成凹部３の深さのみを検知してコードを判定するもので、当該補助タンブラピン２’が挿入されるタンブラ挿入孔１５には回転規制用の突起１５ａは設けられない。
【００２２】
一側のタンブラ列面（Ｓｔ２、Ｓｔ３）に配列されるタンブラピン２を図５に示す。このタンブラピン２は、一端に截頭円錐面を外周面とするドライブ部５を有する（以下、記述を明瞭にするために、ドライブ部５が形成される側を下方、反対側を上方として説明する。）。ドライブ部５を形成する円錐の回転中心Ｃｔ（母線を回転させて円錐形状を得る際の回転中心）は、タンブラピン２の移動方向中心線１１に対して所定間隔（δ）オフセットされる。また、ドライブ部５は、対向する弦が切り落とされて移動方向中心線１１に対して線対称な小判形状断面を有し、対向する平面５ａは、円錐の回転中心（Ｃｔ）とタンブラピン２の移動方向中心線１１の双方を含む面に対する平行面となっている。後述するように、タンブラピン２が１８０°回転した状態で異なった解錠コードとなるこの実施の形態において、上記平面５ａは、タンブラ挿入孔１５に挿入された状態で、タンブラ回転規制用の突起１５ａに当接し、タンブラピン２の回転範囲を規制する。
【００２３】
一方、タンブラピン２の上端には円筒状曲率面２ａが形成される。円筒状曲率面２ａの曲率半径（Ｒ）はプラグ１の半径に等しく、さらに、曲率中心は、図５（ａ）に示すように、プラグ１の外周に曲率面を合致させた際のプラグ１の回転中心線（Ｃｐ）に合致する。
【００２４】
鍵違いを得るために、上記タンブラピン２と同形で、全長が異なる複数種が設定され（以下、「長さ要素」）、さらに、長さ要素が一致するタンブラピン２間に、鍵違いの回転要素が加えられる。回転要素は、ドライブ部５の円錐の回転中心（Ｃｔ）と移動方向中心線１１とを含む面と、上記円筒状曲率面２ａの中心線を含む面との移動方向中心線１１に直交する面（投影面）上での交差角度（図５（ｄ）における角度θ）を変えることにより与えられる。θは、図５（ｄ）において、０°から３６０°まで変化させることが可能であり、この実施の形態においては、図５（ｃ）に示す０°、これから時計回りに、４５°（図５（ｄ））、図５（ｄ）が上下反転した１３５°、図５（ｃ）が上下反転した１８０°、これらが左右反転した２２５°、３１５°の６種類の鍵違いが設定される。
【００２５】
上述したように、一側のタンブラ列面（Ｓｔ２、Ｓｔ３）は互いに線対称位置に配置されるために、同一のタンブラピン２は、対称位置に使用されたときには、１８０°回転した他の回転要素をもつタンブラピン２として利用される。
【００２６】
これに対し、シリンダケース８にはタンブラピン２、および補助タンブラピン２’とほぼ同一径のドライブピン７、７’が配置される。ドライブピン７、７’は、プラグ１が施錠回転位置にあるときに各タンブラピン２、２’に正対し、プラグ１側のタンブラ挿入孔１５に進入することができ、タンブラピン２、２’もシリンダケース８内に進入することができる。また、各ドライブピン７は、圧縮スプリング１６によりプラグ１中央部に向けて付勢される。
【００２７】
図４に示すように、タンブラピン２に対応するドライブピン７の一端には、タンブラピン２の上端に形成される円筒状曲率面２ａに合致する円筒状曲率面が形成され、補助タンブラピン２’に対応する補助ドライブピン７’には先端が截頭円錐形状をした周知のものが使用される。これらタンブラピン２とドライブピン７との境界は施錠部９を構成し、補助タンブラピン２’と補助ドライブピン７’との境界は補助施錠部９’を構成する。
【００２８】
以上のように構成されるシリンダ錠１０とともにシリンダ錠装置を構成する解錠キー４を図３に示す。解錠キー４は、キーブレード部４ａの一端に握り部４ｂを設けて形成される。キーブレード部４ａの表裏両面には、複数の解錠コード形成凹部３がディンプル状に形成される。表裏反転した使用を可能にするために、キーブレード部４ａは解錠コード形成凹部３の形成箇所を含め、板厚中心と幅方向中心との交点に対して点対称断面形状に形成される。なお、図３において４ｃはプラグ１のキー挿入部６側に設けた突起１ｂが嵌合してプラグ１内での挿入姿勢を規制するためのガイド溝を示す。
【００２９】
解錠コード形成凹部３のうち、補助タンブラピン２’に対応する解錠コード形成凹部（以下、「補助ピン用解錠コード形成凹部３’」）は、底壁部３ａ’に補助タンブラピン２’の先端が当接することにより、解錠コード形成凹部３’の深さと補助タンブラピン２’の長さの一致を確認するためのもので、図９に示すように、解錠キー４を正規位置まで挿入した位置（コード判定位置）において、底壁３ａ’の中心が補助タンブラピン２’の移動方向中心線１１に一致する位置を所定深さでディンプル形状に切削等による加工をして得られる。
【００３０】
これに対し、タンブラピン２に対応する解錠コード形成凹部３は、上記タンブラピン２のドライブ部５における円錐面を介してタンブラピン２に回転トルクを与える周壁を有してディンプル形状に形成される。上記周壁、正確にはコード判定位置においてタンブラピン２のドライブ部５に当接する可能性のある周壁は、ドライブ部５における円錐面と同一の円錐面により形成される。
【００３１】
また、この解錠コード形成凹部３は、タンブラピン２の長さの変化に対応して深さのみが異なる複数種が設定され、解錠コード形成凹部３の位置は、解錠キー４表面での凹部領域での面積が最小となる最浅コードであっても、円錐の回転中心（截頭平面を有するこの実施の形態においては截頭平面）が上記凹部領域内に含まれるように設定される。
【００３２】
後述するように、タンブラピン２のドライブ部５の当接位置、および深さを容易に管理することができるように、解錠コード形成凹部３は、以下のように配置される。まず、図６に示すように、同一タンブラ列面（Ｓｔ）に対応して解錠キー４の幅広面上に３本、計６本の基準線（Ｌ２１、Ｌ２２、Ｌ２３、Ｌ３１、Ｌ３２、Ｌ３３）が設定される（但し、Ｌｍｎは、タンブラ列面Ｓｔｍの第ｎ番基準線を示す。）。基準線（Ｌ）は解錠キー４の長手方向に平行な直線であり、幅方向に等間隔（ｐ）に配置される。解錠コード形成凹部３は、円錐面の回転中心が上記いずれかの基準線（Ｌ）上に乗り、かつ、隣接する回転中心間の間隔（Ｐｔ）がプラグ１における同一タンブラ列面（Ｓｔ）内での隣接するタンブラ挿入孔１５間の間隔（Ｐｔ）（図２参照）に一致するように配置される。
【００３３】
以上のように配置して解錠コード形成凹部３の円錐面の母線を統一すると、中間に位置する基準線（Ｌ２２、Ｌ３２）に対して対称位置にある基準線（Ｌ）上の解錠コード形成凹部３は深さが一致すると、他側に対して回転方向が反転した解錠コード（図５（ｃ）、（ｄ）において上下反転したもの）となる。また、後述するように、タンブラピン２の回転姿勢は、タンブラピン２の移動方向中心線１１と解錠コード形成凹部３の回転中心との位置関係により決定されるために、基準線（Ｌ）を選択するだけで中央、左右回転姿勢の３種類の解錠コードが管理できる。さらに、プラグ１への装着姿勢により、解錠コード形成凹部３の前方部を使用するか後方部を使用するか、すなわち、図５（ｃ）、（ｄ）において左右反転したものを選択できるために、合計６種類の解錠コードが同一深さで設定できる。
【００３４】
また、この実施の形態において、中間に位置する基準線（Ｌ２２、Ｌ３２）は解錠キー４の幅中心線に対して対称位置にあり、さらに、いずれか一方がプラグ１の回転中心（Ｃｐ）を含む。この結果、補助ピン用解錠コード形成凹部３’は、解錠コード形成凹部３と同一基準線（Ｌ）上に属することになり、位置重複の可能性がある。これを防止するために、図６に示すように、解錠コード形成凹部３と、補助ピン用解錠コード形成凹部３’とが交互に配置されるように、タンブラピン２と補助タンブラピン２’の相対間隔（図１（ａ）における寸法ｄ）が決定される。
【００３５】
なお、以上においては、各タンブラ列面（Ｓｔ）に対して３本の基準線（Ｌ）を対応させる場合を示したが、基準線数は、２本、あるいは３本以上であってもよい。また、中央部の基準線（Ｌ２２、Ｌ３２）上に配置される解錠コード形成凹部３は、実質的に前後方部のみが使用されるために、図６に示すように、周壁が他のディンプルと同様の傾きを有する長円形状で代用できる。
【００３６】
したがってこの実施の形態において、解錠キー４を挿入しない状態においては、図４に示すように、圧縮スプリング１６によりプラグ１中心方向に付勢されるドライブピン７、７’はプラグ１のタンブラ収容孔１５内に進入する。この状態において、プラグ１とシリンダケース８との回転境界は閉塞されるために、プラグ１を回転させることができない（施錠状態）。
【００３７】
この状態から、解錠キー４を挿入すると、まず、図７（ａ）、（ｂ）に示すように、タンブラピン２の下端は解錠キー４の先端により拾われて上方に移動する。次いで、図７（ｃ）、（ｄ）に示すように、解錠キー４がコード判定位置まで挿入されると、タンブラピン２のドライブ部５は解錠コード形成凹部３の周縁に当接する。タンブラピン２には突出方向の付勢力が与えられているために、図８に示すように、タンブラピン２の解錠コード形成凹部３の周縁との接触線１７には、解錠コード形成凹部３の中心方向に向かう分力（Ｆ１７）が発生する。このようにして発生する分力（Ｆ１７）の作用線上にタンブラピン２の移動方向中心線（点）１１は含まれないために、タンブラピン２には所定方向の（図においては時計回り）回転力（Ｔ）が発生し、タンブラピン２が所定回転位置まで回転する。
【００３８】
以上のようにして、タンブラピン２の回転角は、解錠コード形成凹部３の状態によって一義的に決定され、解錠コード形成凹部３が真正であると、図９（ａ）に示すように、タンブラピン２の上端の円筒状曲率面２ａはプラグ１とシリンダケース８の回転境界面に完全に一致し、プラグ１を回転させることができる。
【００３９】
これに対し、回転角が適正でない場合には、深さが同一であっても図９（ｂ）に示すように、タンブラピン２とドライブピン７との境界部はいずれかに進入するためにプラグ１を回転させることはできない。
【００４０】
この結果、この実施の形態においては、タンブラピン２の長さに加え、回転角度も鍵違いの要素となるために、鍵違い数が飛躍的に増加する。
さらに、この実施の形態において、解錠キー４には複製を困難にするためのフローティングボール１８が装着される。上述したように、表裏いずれでも使用可能なように、フローティングボール１８は、解錠キー４の終端部で、ガイド溝４ｃ上に２個配置される。
【００４１】
このフローティングボール１８は、図１０に示すように、プラグ１内の一方の補助タンブラピン２’により支え突起１９に押し付けられる。フローティングボール１８の補助タンブラピン２’の押しつけが確実に行われるように、補助タンブラピン２’側のドライブピン７’には、この補助タンブラピン２’に正対する位置に配置される他方の補助タンブラピン２”に比して大きな付勢力が与えられる。この状態で、補助タンブラピン２’と、これらに対応するドライブピン７’との境界は、プラグ１の回転境界に一致し解錠される。
【００４２】
これに対し、フローティングボール１８が装着されていない解錠キー４を挿入した場合には、一方の補助タンブラピン２’に対応するドライブピン７’がプラグ１内に進入して施錠状態となる。また、フローティングボール１８の双方の補助タンブラピン２’、２”の保持位置を解錠キー４に形成すると、図１０に示すように、フローティングボール１８と他方の補助タンブラピン２”との境界はガイド溝４ｃより飛び出した位置にあるために、解錠キー４をタンブラ挿入孔１５内に挿入できなくなる。
【００４３】
この結果、解錠キー４を入手しても、このプロフィールを単にトレースしただけでは解錠することができないために、複製が不可能になる。
図１１に本発明の他の実施の形態を示す。この実施の形態は、タンブラピン２とサイドバー１２とにより施錠部９を構成する場合を示すもので、タンブラピン２の上端とドライブピン７の先端は、補助タンブラピン２’と同様に、截頭円錐形状に形成される。また、タンブラピン２の下端には、ドライブ部５が形成されるとともに、側壁には、所定長に渡って逃げ溝２０が形成される。
【００４４】
１２はタンブラピン２の移動方向中心線１１に対して直交方向に移動してタンブラ挿入孔１５に進退するサイドバーであり、シリンダケース８には、プラグ１が施錠回転位置にあるときにサイドバー１２に正対するストッパ溝２１が形成される。
【００４５】
いま、解錠コード形成凹部３の深さが異なった場合にはタンブラピン２と、圧縮スプリング１６により中心方向に付勢されるドライブピン７との境界がプラグ１の回転境界面に一致しないために、施錠状態が維持される。また、解錠コード形成凹部３の深さが真正で、タンブラピン２とドライブピン７との境界がプラグ１の回転境界面に一致したとしても、サイドバー１２に対して逃げ溝２０が正対しないために、サイドバー１２はプラグ１内に退避することができない。この結果、プラグ１とシリンダケース８との回転境界は開放されることなく、施錠状態が維持される。
【図面の簡単な説明】
【００４６】
【図１】本発明を示す図で、（ａ）は（ｂ）の１Ｂ-１Ｂ線断面図、（ｂ）は正面図である。
【図２】図１（ａ）の２Ａ-２Ａ線断面図である。
【図３】解錠キーの平面図である。
【図４】シリンダ錠をタンブラピン、補助タンブラピンの移動方向中心線に沿って切断した断面図である。
【図５】タンブラピンを示す図で、（ａ）は正面図、（ｂ）は側面図、（ｃ）は（ａ）の５Ｃ方向矢視図、（ｄ）は鍵違いを示す（ａ）の５Ｃ方向矢視図である。
【図６】解錠キーのキーブレード部の拡大図である。
【図７】本発明の動作を示す図で、（ａ）は（ｂ）の７Ａ-７Ａ線断面図、（ｂ）は解錠キーがタンブラーピンを押し上げた状態を示す図、（ｃ）は（ｄ）の７Ｃ-７Ｃ線断面図、（ｄ）は解錠コード形成凹部に嵌合した状態を示す図である。
【図８】タンブラピンの動作を示す図で、（ａ）はタンブラピンの側面図、（ｂ）は解錠コード形成凹部への嵌合初期を示す（ａ）の８Ｂ-８Ｂ線断面図、（ｃ）は（ｂ）の８Ｃ-８Ｃ線断面図である。
【図９】施解錠状態を示す図で、（ａ）は解錠状態における図４に対応する図、（ｂ）は施錠状態を示す断面図である。
【図１０】解錠キーを挿入した状態の図１（ａ）の１０Ａ-１０Ａ線断面図である。
【図１１】本発明の他の実施の形態を示す断面図である。
【符号の説明】
【００４７】
１        プラグ
２        タンブラピン
３        解錠コード形成凹部
４        解錠キー
５        ドライブ部
６        キー挿入部
７        ドライブピン
８        シリンダケース
９        施錠部
１０      シリンダ錠
【図１】
2006070552.tif 000003
【図２】
2006070552.tif 000004
【図３】
2006070552.tif 000005
【図４】
2006070552.tif 000006
【図５】
2006070552.tif 000007
【図６】
2006070552.tif 000008
【図７】
2006070552.tif 000009
【図８】
2006070552.tif 000010
【図９】
2006070552.tif 000011
【図１０】
2006070552.tif 000012
【図１１】
2006070552.tif 000013